【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
パブリックネットワークを利用する金融取引に関するデータを交換するためのシステムであって、
前記パブリックネットワークを介して少なくとも１つの他の関係者のコンピュータシステムと各々が接続された複数の関係者のコンピュータシステムであって、各関係者のコンピュータシステムが、
金融取引の処理に関する機能を実行するための１又はそれ以上のアプリケーションと、
前記１又はそれ以上のアプリケーションと前記パブリックネットワークとの両方と接続されたゲートウェイであって、前記ゲートウェイが、前記パブリックネットワークを介して関係者のコンピュータシステム間で信頼されたメッセージングパスを介してデータを送信及び受信するためのインターフェースを提供するゲートウェイと、
前記パブリックネットワークと接続された１又はそれ以上のプライベートディレクトリであって、前記ディレクトリが、前記関係者のコンピュータシステムの間で信頼されたメッセージングパスを識別する、ディレクトリと、
を有することを特徴とするシステム。
【請求項２】
前記１又はそれ以上のプライベートディレクトリが、前記複数の関係者のコンピュータシステムにだけアクセス可能であることを特徴とする請求項１に記載のシステム。
【請求項３】
前記１又はそれ以上のプライベートディレクトリが、前記複数のコンピュータシステムで利用可能な信頼されたリソースの各々を識別することを特徴とする請求項１に記載のシステム。
【請求項４】
前記信頼されたメッセージングパスが、前記１又はそれ以上のプライベートディレクトリで識別された、認証された関係者のコンピュータシステムを有する、ことを特徴とする請求項１に記載のシステム。
【請求項５】
前記金融取引が、
クレジットカード取引と
デビットカード取引と、
コーリングカード取引と、
ストアバリュー取引（stored value transaction）と、
ロイヤルティーカード取引と、
クーポン取引と、
を含む１又はそれ以上の取引からなることを特徴とする請求項１に記載のシステム。
【請求項６】
前記金融取引が、投資取引の交換を含むことを特徴とする請求項１に記載のシステム。
【請求項７】
前記金融取引が、政府の利益（government benefit）の引き渡しを含むことを特徴とする請求項１に記載のシステム。
【請求項８】
前記金融取引が、いかなる価値の交換を含むことを特徴とする請求項１に記載のシステム。
【請求項９】
前記パブリックネットワークが、インターネットを含むことを特徴とする請求項１に記載のシステム。
【請求項１０】
前記データが、ヘッダ及びボディを有するメッセージフォーマットを使用して交換され、前記ヘッダが、１又はそれ以上の機能を実行するためのゲートウェイによって使用される情報を含み、前記ボディが、アプリケーションによって転送されるデータを含むことを特徴とする請求項１に記載のシステム。
【請求項１１】
前記ゲートウェイが、以下の１又はそれ以上のステップ、即ち、
メッセージを送信するステップと、
メッセージを受信するステップと、
メッセージをルーティングするステップと、
メッセージヘッダ情報を解決するステップと、
メッセージ信頼性を提供するステップと、
メッセージセキュリティを実装するステップと、
メッセージをフィルタリングするステップと、
メッセージ相関を実行するするステップと
を含むことを特徴とする請求項１に記載の方法。
【請求項１２】
前記メッセージを送信するステップが、
アプリケーションからメッセージを受信するステップと、
前記メッセージに関するメッセージタイプに基づいてメッセージに関する１又はそれ以上のポリシーを決定するステップと、
前記メッセージの受信者に関する移送アドレスを解決するステップと、
１又はそれ以上のセキュリティを前記メッセージに適用するステップと、
前記パブリックネットワークにチャネルを開けて、セキュリティを適用するステップと、
前記チャネルを介してメッセージを送信するステップと
を有することを特徴とする請求項１１に記載のシステム。
【請求項１３】
前記セキュリティが、１又はそれ以上のディジタルサイン及び暗号化を含むことを特徴とする請求項１２に記載のシステム。
【請求項１４】
前記メッセージを受信するステップが、
前記パブリックネットワークからメッセージを受信するステップと、
前記メッセージに関するメッセージタイプに基づいて１又はそれ以上の検索をするステップと、
前記メッセージに各ポリシーを適用するステップと、
前記メッセージを受信アプリケーションに配送するステップと
を有することを特徴とする請求項１１に記載のシステム。
【請求項１５】
前記適用するステップが、ディジタルサインを確認するためにセキュリティポリシー情報を使用することを特徴とする請求項１４に記載のシステム。
【請求項１６】
前記適用するステップが、前記メッセージを暗号化するためにセキュリティポリシー情報を使用することを特徴とする請求項１４に記載のシステム。
【請求項１７】
前記ゲートウェイが、
前記パブリックネットワークと通信するゲートウェイサーバであって、前記ゲートウェイサーバが、入ってくるメッセージをキューに入れ、チャネルを開け、チャネルを維持する、ゲートウェイサーバと、
前記ゲートウェイサーバと通信するゲートウェイクライアントライブラリであって、前記ゲートウェイクライアントライブラリが、１又はそれ以上のプロトコルとインターフェースする、ゲートウェイクライアントライブラリと、
前記ゲートウェイクライアントライブラリおよび少なくとも１つのアプリケーションと通信するゲートウェイアプリケーションプログラミングインターフェースと、
を有することを特徴とする請求項１に記載のシステム。
【請求項１８】
関係者のコンピュータシステムが、前記パブリックネットワークを介してアクセス可能なディレクトリを更に有し、
前記ディレクトリが、１又はそれ以上のエントリを包含する記憶媒体を有し、各エントリが、１又はそれ以上の識別子を有する、ことを特徴とする請求項１に記載のシステム。
【請求項１９】
前記識別子が、１又はそれ以上のメッセージルーティングデータ、メタデータ、および、セキュリティポリシー情報を有することを特徴とする請求項１８に記載のシステム。
【請求項２０】
前記関係者のコンピュータシステムが、前記パブリックネットワークと通信する認証局を更に有し、
前記認証局が、１又はそれ以上のチャネル、メッセージの相互認証、チャネルの統合チェック、メッセージの統合チェック、チャネル暗号化およびメッセージ暗号化の相互の認証を実行するのに使用するためのゲートウェイに１又はそれ以上の鍵を提供することを特徴とする請求項１に記載のシステム。
【請求項２１】
前記関係者のコンピュータシステムが、前記パブリックネットワークと通信するプラットフォームサービスを更に有し、
前記プラットフォームサービスが、前記プラットフォームサービスを介してルーティングされるメッセージに関するメッセージサービスを提供することを特徴とする請求項１に記載のシステム。
【請求項２２】
前記プラットフォームサービスが、リモートゲートウェイサービスを含み、前記リモートゲートウェイサービスが、前記関係者のコンピュータシステムから遠隔操作されるアプリケーションに関するパブリックネットワークに対するアクセスを提供することを特徴とする請求項２１に記載のシステム。
【請求項２３】
１又はそれ以上のコンシューマデバイスを更に有し、
前記各コンシューマデバイスが、前記パブリックネットワークにアクセスするためにリモートゲートウェイサービスを使用する、ことを特徴とする請求項２２に記載のシステム。
【請求項２４】
前記コンシューマデバイスが、１又はそれ以上の電話、携帯電話、ＰＤＡ（personal digital assistant）、ハンドヘルドデバイス、セットアップボックス、および、パーソナルコンピュータを含むことを特徴とする請求項２３に記載のシステム。
【請求項２５】
前記プラットフォームサービスが、ブロードキャストメッセージサービスを有し、前記ブロードキャストメッセージサービスが、ブロードキャストメッセージングをサポートし、かつ、ブロードキャストメッセージに関する分配リストを管理することを特徴とする請求項２１に記載のシステム。
【請求項２６】
パブリックネットワークを介して金融取引に関するデータを送信するためのコンピュータで実行可能な方法であって、
第１の信頼された関係者から、識別子を含むメッセージオブジェクトを受信するステップと、
前記メッセージオブジェクトからメッセージを生成するステップと、
前記メッセージに関する１又はそれ以上のポリシーを決定するステップと、
前記識別子を用いてメッセージに関する宛先アドレスを解決するステップと、
前記メッセージに１又はそれ以上のセキュリティ特性を適用するステップと、
第２の信頼された関係者を識別する宛先アドレスに対して、パブリックネットワークにチャネルを開け、安全にするステップと、
前記チャネルを介して前記第２の信頼された関係者にメッセージを送信するステップと
を有することを特徴とする方法。
【請求項２７】
前記１又はそれ以上のポリシーが、１又はそれ以上のメッセージセキュリティポリシーおよびメッセージルーティングポリシーを含むことを特徴とする請求項２６に記載のコンピュータで実行可能な方法。
【請求項２８】
前記１又はそれ以上のポリシーが、１又はそれ以上のマルチホップルーティングポリシー、ハブアンドスポークルーティングポリシー、peer-to-peerルーティングポリシー、および、ファンアウトルーティングポリシーを含むことを特徴とする請求項２６に記載のコンピュータで実行可能な方法。
【請求項２９】
前記識別子が、１又はそれ以上の機関識別子、機関メンバー識別子、金融アカウント識別子、認証局識別子、商人識別子、銀行識別子、サービス識別子、および、ポリシー識別子を含むことを特徴とする請求項２６に記載のコンピュータで実行可能な方法。
【請求項３０】
前記１又はそれ以上のセキュリティ特性は、ディジタルサインおよび暗号化アルゴリズムを含むことを特徴とする請求項２６に記載のコンピュータで実行可能な方法。
【請求項３１】
前記第１の信用された関係者及び第２の信用された関係者は、前記第１の信用された関係者及び第２の信用された関係者にアクセス可能な１又はそれ以上のプライベートディレクトリにおいて識別されることを特徴とする請求項２６に記載のコンピュータで実行可能な方法。
【請求項３２】
前記第１の信用された関係者及び第２の信用された関係者は、メッセージを交換するために必要なセキュリティ認証を所有することを特徴とする請求項３１に記載のコンピュータで実行可能な方法。
【請求項３３】
パブリックネットワークを介して金融取引に関するデータを受信する方法であって、
金融取引アプリケーションにし向けられたメッセージが、リモートの信頼されたコンピュータシステムから受信されるステップと、
前記メッセージに適用される１又はそれ以上のポリシーを決定するステップと、
前記メッセージに適用される１又はそれ以上のセキュリティ測度を適用するステップと、
前記メッセージからメッセージオブジェクトを生成するステップと、
識別子を含むメッセージオブジェクトを前記アプリケーションに送信するステップと
を有することを特徴とするコンピュータで実行可能な方法。
【請求項３４】
前記１又はそれ以上のポリシーが、メッセージセキュリティポリシーを含むことを特徴とする請求項３３に記載のコンピュータで実行可能な方法。
【請求項３５】
前記１又はそれ以上のセキュリティ測度を適用するステップが、ディジタルサインを検査することを含むことを特徴とする請求項３３に記載のコンピュータで実行可能な方法。
【請求項３６】
前記１又はそれ以上のセキュリティ測度を適用するステップが、メッセージを暗号化することを含むことを特徴とする請求項３３に記載のコンピュータで実行可能な方法。
【請求項３７】
前記識別子が、１又はそれ以上の機関識別子、機関メンバー識別子、金融アカウント識別子、認証局識別子、商人識別子、銀行識別子、サービス識別子およびポリシー識別子を含むことを特徴とする請求項３３に記載のコンピュータで実行可能な方法。
【請求項３８】
リモートゲートウェイサービスを使用して金融取引情報を送信するためのコンピュータで実行可能な方法であって、
リモートゲートウェイサービスによって金融取引情報を、第１のネットワークを介してリモートの関係者によって操作されたアプリケーションから受信するステップと、
前記リモートゲートウェイサービスによって、金融取引情報を処理するステップと、
リモートゲートウェイサービスによって、処理された金融取引情報を第２のネットワークを介して宛先に送信するステップと、
前記第２のネットワークから前記リモートゲートウェイサービスによって、前記処理された金融取引情報に対する応答を受信するステップと、
前記リモートゲートウェイサービスによって、前記応答を処理するステップと、
前記第１のネットワークを介して、前記リモートの関係者によって捜査されたアプリケーションに対するリモートゲートウェイサービスによって、前記処理された応答を送信するステップと、
を有することを特徴とする方法。